(57)【要約】      （修正有）【課題】矯正、平行、垂直等の診断模型の計測を精密な分析操作によって実施できるようにした歯科用歯模型の平行摺動測定器の提供。【解決手段】測定器本体１には、基台２に目盛付移動板３と、回転模型載置盤５を設けた歯科用歯模型の平行摺動測定器において、該基台２には、端部の両端に相対応する目盛基点６、６を刻設し、該目盛付移動板３には、長手方向の中央部分に固定主柱８を立設し、且つ該目盛付移動板３には、長手方向の１側面に該目盛基点６、６を基点とした左右対称の目盛表示部７、７を刻設し、且つ該固定主柱８には、昇降支持体９と回転体１０及び支持杆１７を介した固定支持部の下端に取付用螺子１８を設けた垂直取付杆１３を連接し、該回転模型載置盤５には、下方に回転自在の支持台２１を設けた事を特徴とした歯科用歯模型の平行摺動測定器。【選択図】図１
0003131373.tif 000002
【実用新案登録請求の範囲】
【請求項１】
測定器本体（１）には、基台（２）に目盛付移動板（３）と、回転模型載置盤（５）を設けた歯科用歯模型の平行摺動測定器において、該基台（２）には、端部の両端に相対応する目盛基点（６）（６）を刻設し、該目盛付移動板（３）には、長手方向の中央部分に固定主柱（８）を立設し、且つ該目盛付移動板（３）には、長手方向の１側面に該目盛基点（６）（６）を基点とした左右対称の目盛表示部（７）（７）を刻設し、且つ該固定主柱（８）には、昇降支持体（９）と回転体（１０）及び支持杆（１７）を介した固定支持部の下端に取付用螺子（１８）を設けた垂直取付杆（１３）を連接し、該回転模型載置盤（５）には、下方に回転自在の支持台（２１）を設けた事を特徴とした歯科用歯模型の平行摺動測定器。
【考案の詳細な説明】
【技術分野】
【０００１】  本考案は、歯模型及び義歯等を精密な操作による分析を各々の位置から充分に計測する事を特徴とした歯科用歯模型の平行摺動測定器に関するものである。
【背景技術】
【０００２】  従来この種の平行測定器は、基台に設けた固定支柱に設けた上下の昇降支持体と、その昇降支持体の上端に設けた回転体に水平アームに連結した可動体を設け、その可動体に測定具等に取付ける上下する垂直取付杆を設けるもの、また、歯模型を載置する回転模型載置盤を上下と傾斜可能にしたものが一般的に使用されている現状である。
【考案の開示】
【考案が解決しようとする課題】
【０００３】  上記従来の歯模型等の平行測定器においては、固定支柱の昇降支持体は、上下自由に移動できるが、模型台である回転模型載置盤に対して常時定位置のために測定、分析、切削等に対しては、該回転模型載置盤の上下と回転の操作と、該昇降支持体の上端に設けた回転体と、その先端に設けた可動体が該回転模型載置盤に対して円形運動の範囲しか測定及び切削等の操作の実施ができない不便な問題点がある。
本考案は、上記従来の不便な問題点を解決するために考案したものであって、その主たる目的とする所は、測定器本体の基台に対し、その端部の両端に相対応する目盛基点を設け、その目盛基点と平行に固定支柱を中心に固定した目盛付移動板を前後に移動自在に嵌装して、該目盛基点と一致する位置に目盛付移動板の始点を合致し、前後の移動を目盛によって各々確認しながら測定等が出来る事を可能とした歯科用歯模型の平行摺動測定器を提供するものである。
【課題を解決するための手段】
【０００４】  本考案は、上記目的を達成するために、測定器本体には、基台の一部に固定主柱を取着した目盛付移動板と、回転模型載置盤とを装設する。また、該基台には、端部よりの両側に相対応する目盛基点を刻設する。該目盛付移動板には、端部の両側に相対応する該目盛基点と一致した目盛表示部を左右対称に刻設してある。
また、固定主柱には、上方に昇降支持体とその上部に回転体を設け、該回転体には、支持杆を介して下端に測定具、アンダーカットゲージ、及び炭素芯棒等を取付ける垂直取付杆を設けた固定支持部を連接してある。
更に、該回転模型載置盤には、下方に回転自在の支持台を装設した構成となっている。
【考案の効果】
【０００５】  本考案によれば、従来のものと相違して、昇降支持体の上下の昇降と、回転体の３６０度の回転の外に、固定主柱が前後又は左右に自由に移動でき、該回転体が歯模型等を載置する回転模型載置盤に対して各方向よりの簡単な角度と位置によって精密な模型の分析等が容易に出来る実用上の優れた効果がある。また、該基台の端部に相対応する目盛基点を設け、固定主柱を中央に設けた目盛付移動板には、両側に該目盛基点に合せて目盛表示部を形成したことによって、回転模型載置盤に対して前後に数ミリの単位で移動するため、回転模型載置盤に載置した歯模型及び義歯等に対して従来できない分析、測定等も容易に可能とする便利な効果がある。更に、固定主柱に連接した昇降支持体と回転体及び支持杆を介した垂直取付杆と、回転模型載置盤に回転自在の支持台を設けたので、歯模型等に対して上下、回転、傾斜及び前後に自由自在に移動して分析、測定等が確実に出来ると共に、全体を著しく小型化できると云う優れた効果もある。
【考案を実施するための最良の形態】
【０００６】  上記のように構成されている歯科用歯模型の平行摺動測定器によれば、回転模型載置盤（５）の上面に模型支持柱（１５）（１５）と移動支持柱（１６）とを以って歯模型を載置固定する。垂直取付杆（１３）の下端の取付用螺子（１８）によって測定杆、アンダーカットゲージ、炭素棒（鉛筆芯）等を各々の使用目的に応じたものを装着するものである。そして、所要に傾斜する回転模型載置盤（５）によって所要位置に回転すると共に、昇降支持体（９）の上部の回転体（１０）の可動と、固定支持部（１２）の垂直取付杆（１３）を上下自在操作することによって該回転模型載置盤（５）の上部の歯模型を切削、加工、分析等の加工をする。また、固定主柱（８）を設けた目盛付移動板（３）が該回転模型載置盤（５）に対して正面より左右方向にミリ単位で移動することによって歯槽型の各所に対して分析を確実に実施するものである。
【実施例】
【０００７】  次に、本考案の実施例を図面について説明すると、図１に示すものは、本考案の平行摺動の測定器本体（１）を示すもので、基台（２）の後方となる端部には、前後に摺動する目盛付移動板（３）を装設してある。また、該基台（２）には、端部の両端に相対する目盛基点（６）（６）を刻設してある。図４に示す該目盛付移動板（３）には、長手方向の中央部分に固定主柱（８）を立設すると共に、長手方向の１側面に左右対称となる該目盛基点（６）（６）を基点とした目盛表示部（７）（７）を刻設してある。
該固定主柱（８）には、図１及び図２に示す如く、上部に昇降支持体（９）と回転体（１０）を連接する。該回転体（１０）には、横方向に単数又は複数の支持杆（１１）を介在して固定支持部（１２）を取着してある。
該固定支持部（１２）には、内部に昇降自在の垂直取付杆（１３）を内挿し、該垂直取付杆（１３）には、下端に歯模型、義歯等の測定具、アンダーカット類、炭素棒等を取付用螺子（１８）によって接続するものである。【０００８】  次に、該回転模型載置盤（５）は、該基台（２）に固定した支持台（２１）との間に球体回動部（１４）を介在して回転自在に装着されている。更に該回転模型載置盤（５）には、歯模型、義歯等を固定支持する模型支持柱（１５）（１５）及び移動支持柱（１６）を装設すると共に、正面側に回動用の回動把手部（１７）を装設してある。符号（１９）は、昇降支持体（９）と固定支持部（１２）に設けた固定用螺子である。また、符号（２０）は、該目盛付移動板（３）を停止するための固定用螺子を示したものである。符号（２１）は、支持台を示し、符号（２２）は、回転模型載置盤（５）の回動、傾斜等を停止する締付把手部を示したものである。
【図面の簡単な説明】
【０００９】
【図１】  本考案の全体の斜状より見た全体斜面図である。
【図２】  同じく本考案の全体の側面図である。
【図３】  本考案の上部を欠除した下方部分の斜面図である。
【図４】  同じく本考案の目盛付移動板の一部斜状の斜面図である。
【符号の説明】
【００１０】１          測定器本体
２          基台
３          目盛付移動板
５          回転模型載置盤
６          目盛基点
７          目盛表示部
８          固定主柱
９          昇降支持体
１０        回転体
１１        支持扞
１２        固定支持部
１３        垂直取付杆
１４        球体回動部
１５        模型支持柱
１６        移動支持柱
１７        回動把手部
１８        取付用螺子
１９、２０  固定用螺子
２１        支持台
２２        締付把手部
【図１】
0003131373.tif 000003
【図２】
0003131373.tif 000004
【図３】
0003131373.tif 000005
【図４】
0003131373.tif 000006